(57)【要約】外科処置の実施中に関心領域をリアルタイムで位置測定するための、剛体格子位置決めシステム、定位ガンマ線撮像装置、及び閉塞子の組合せであって、ａ）検討中の塊内にある関心領域の空間位置を計算するのに有用な画像を入手する機構を含む剛体格子位置決めシステムと、ｂ）剛体格子位置決めシステムを通して挿入される閉塞子にして、ｉ）放射性流体を該閉塞子に導入し該閉塞子から除去するために接続点にて相互接続されたほぼ平行な第１及び第２の毛管と、ｉｉ）接続点にある放射性流体の溜めとで構成される閉塞子とを含み、該溜めは関心領域を含む塊に挿入され、放射性流体はその後の撮像中に当該領域のマーカを提供し、それによりその後の処置中に関心領域の位置特定を提供する組合せ。【選択図】      図１
2011528436.tif 000002
【特許請求の範囲】
【請求項１】
外科処置の実施中に関心領域をリアルタイムで位置特定するための、剛体格子位置決めシステム、定位ガンマ線撮像装置、及び閉塞子の組合せであって、
ａ）検討中の塊内にある関心領域の空間位置を計算するのに有用な画像を入手する機構を含む、剛体格子位置決めシステム及び定位ガンマ線撮像装置と、
ｂ）前記剛体格子位置決めシステムを通して挿入される閉塞子にして、
ｉ）放射性流体を該閉塞子に導入し該閉塞子から除去するために接続点にて相互接続されたほぼ平行な第１及び第２の毛管と、
ｉｉ）前記接続点にある前記放射性流体の溜めと、
を備える閉塞子と、
を備え、
前記溜めが、関心領域を含む前記塊に挿入され、前記放射性流体が、その後の撮像中に前記関心領域のマーカを提供し、それによりその後の処置中に当該関心領域の具体的な位置特定を提供する組合せ。
【請求項２】
前記剛体格子位置決めシステムが、１組の立体視スラントホールコリメータ及びアレイ状の感ガンマ放射線性結晶及び位置感応型光電子増倍管を備える定位ガンマ線撮像装置に機械的に相互に位置合わせされている、請求項１に記載の組合せ。
【請求項３】
前記ほぼ平行な第１及び第２の毛管が、前記放射性流体からの放射能放出に関して、前記溜めを構成する材料より高い減衰を呈する材料から作製される、請求項１に記載の組合せ。
【請求項４】
検討中の塊内にある関心領域をリアルタイムで撮像し位置特定する方法であって、前記の塊を、
関心領域をリアルタイムで位置特定するための剛体格子位置決めシステム、定位ガンマ線撮像装置、及び閉塞子の組合せにして、  ａ）空間情報を計算できる元となる画像を入手することができる、剛体格子位置決めシステム及び定位ガンマ線撮像装置と、
ｂ）前記剛体格子位置決めシステムを通して挿入される閉塞子であって、
ｉ）放射性流体を該閉塞子に導入し該閉塞子から除去するために接続点にて相互接続されたほぼ平行な第１及び第２の毛管と、
ｉｉ）前記接続点にある前記放射性流体の溜めと、
を備える閉塞子と、
を備え、
前記溜めが、関心領域を含む前記塊に挿入され、前記放射性流体が、その後の撮像中に前記関心領域のマーカを提供し、それによりその後の処置中に当該関心領域の具体的な位置特定を提供する組合せを使用して露光することを含む方法。
【請求項５】
前記剛体格子位置決めシステムが、１組の立体視スラントホールコリメータ及びアレイ状の感ガンマ放射線性結晶及び位置感応型光電子増倍管とを備える定位ガンマ線撮像装置に機械的に相互に位置合わせされている、請求項４に記載の方法。
【請求項６】
前記ほぼ平行な第１及び第２の毛管が、前記放射性流体からの放射能放出に関して、前記溜めを構成する材料より高い減衰を呈する材料から作製されている、請求項４に記載の方法。
【請求項７】
ｉ）放射性流体を本閉塞子に導入し本閉塞子から除去するための、接続点にて相互接続されたほぼ平行な第１及び第２の毛管と、
ｉｉ）前記接続点にある前記放射性流体の溜めと、
を備える、検討中の塊の切開部に挿入される閉塞子。
【発明の詳細な説明】
【技術分野】
【０００１】
本発明は、ガンマ誘導式定位撮像に関し、特に画像位置を検証する閉塞子装置及びその使用方法に関する。
【背景技術】
【０００２】
ガンマ誘導式定位撮像／位置特定は、対象物の関心領域の３次元的位置を判定するために、様々な角度で撮像したその対象物の２つのガンマカメラ画像を使用する。該位置は、例えば生検用の組織サンプルを採取するために疑いのある腫瘍内で針を位置決めするのに使用することができる。状況によっては、処置中に位置をリアルタイムで検証することが望ましい。それには、マーカを関心領域の位置に配置することが必要である。ガンマカメラで撮像するためには、マーカは放射性であって、汚染を残さずに除去できなければならず、また検証時に画像内で見えなければならない。
【０００３】
そこで、ガンマ線撮像中にリアルタイムの位置特定の目的で、このようなマーカを提供するシステム若しくは方法及び装置が必要である。
【発明の概要】
【発明が解決しようとする課題】
【０００４】
したがって、本発明の目的は、定位ガンマ線撮像中にリアルタイムの位置特定情報を提供する装置及び方法の両方を提供することである。
【課題を解決するための手段】
【０００５】
本発明は、外科処置の実施中に関心領域をリアルタイムで位置特定するための、剛体格子位置決めシステム、定位ガンマ線撮像装置、及び閉塞子の組合せであって、ａ）検討中の塊内にある関心領域の空間位置を計算するのに有用な画像を入手する機構を含む剛体格子位置決めシステムと、ｂ）剛体格子位置決めシステムを通して挿入される閉塞子にして、ｉ）放射性流体を該閉塞子に導入し該閉塞子から除去するために接続点にて相互接続されるほぼ平行な第１及び第２の毛管と、ｉｉ）接続点にある放射性流体の溜めとで構成される閉塞子とを含み、該溜めは関心領域を含む塊に挿入され、放射性流体はその後の撮像中に関心領域のマーカを提供し、それによりその後の処置中に関心領域の具体的な位置特定を提供する組合せを提供する。
【図面の簡単な説明】
【０００６】
【図１】本発明による閉塞子の部分的に仮想線で示した図である。
【図２】本発明による格子位置決めシステムに挿入し通された本発明の閉塞子の上面図である。
【図３】検討中の塊内における関心領域の位置特定に使用している本発明の閉塞子の断面図である。
【発明を実施するための形態】
【０００７】
次に添付の図面を参照すると、図１に示すように、本発明の閉塞子１０は、ほぼ平行で相互接続され、溜め(reservoir)１６にて接合された１対の毛管１２及び１４を備える。毛管１２は、矢印１８によって示されるように閉塞子１０の充填を可能にし、一方、毛管１４は、管１２内に導入された流体を矢印２０によって示される方向に除去するための脱流口として働く。毛管１２と１４の接続点は溜め１６を備える。毛管１２及び１４の端部２２Ａ及び２２Ｂを封止するために、１つ又は２以上の機構２４Ａ及び２４Ｂを設けることができる。同様に、測定した量の放射性流体を導入及び除去するために注入器又は他の装置の取り付けを可能にするコネクター／取り付け具２６Ａ及び２６Ｂを設けることができる。毛管１２及び１４は、取り込まれた放射性流体が見えるようにし、毛管１２及び１４の少なくとも最低限の操作を可能にする透明の可撓性材料から作製することが好ましい。毛管１２及び１４は、放射性流体によって生成される放射能放出に関して、溜め１６を形成する材料より高い減衰を呈する材料で作製される。例えば、毛管１２及び１４は、タングステン粉末を注入したガラス又はポリマーから作製することができ、溜め１６は注入していないガラス又はポリマーから作製される。最後に、閉塞子１０で毛管１２及び１４の一体性を維持するために必要な機構２８を設けることができる。本発明の好ましい実施形態によれば、毛管１２及び１４には、―例えば点線３０Ａ及び３０Ｂによって示されたレベルまで充填することにより、―溜め１６を充たすのに十分なだけの放射性流体が導入される。毛管１２及び１４は、その合わせた直径が、外科処置で使用される標準的な針の直径であるようなサイズである。使用される放射性流体は、言うまでもなく実施される特定の試験又は撮像処置による。
【０００８】
図２及び図３に示すように、閉塞子１０は、使用時には、適切な剛体格子位置決めシステム３２―定位ガンマ線撮像システム（４０及び４２）と位置合せされていることが好ましい―内のアパーチャ３６を通して挿入される。次に、関心区域を含む、又は含む可能性のある塊３８の画像を、格子３４及び撮像装置４０／４２との関係で入手し、これらの画像のＸ、Ｙ及びＺ軸から判定されるすべての関心領域の位置特定を計算する。こうして、格子システム内及びその下にある関心領域の位置が判定される。次に、先に計算した関心領域まで塊３８を切開し、閉塞子１０を切開部内の必要な深さまで挿入して、該関心領域の正確な位置をリアルタイムで表示する。次に、閉塞子１０を除去し、生検針の挿入及び組織の摘出など、必要な処置があればすべて実施する。
【０００９】
このように、定位ガンマ線撮像中に関心区域のリアルタイムの位置特定を可能にする閉塞子及びその使用方法について説明した。
【００１０】
本発明について説明してきたので、当業者であれば本発明の精神及び範囲から逸脱することなく、これを多様に変形することができることが明らかであろう。このような変更のいずれもすべて添付の特許請求の範囲内に含まれる。
【図１】
2011528436.tif 000003
【図２】
2011528436.tif 000004
【図３】
2011528436.tif 000005
【国際調査報告】
2011528436.tif 000006